(57)【要約】【課題】温度環境の変化による金属セパレータと絶縁板との間の位置ずれを吸収しながら、両者間の面圧を高め得るようにすること。【解決手段】発電セルを複数個積層した燃料電池スタックの両端に位置するエンドセルに含まれる金属セパレータ１１３のシールビード１１５と、一対のエンドセルを挟み込むエンドプレート１３１に設けられた絶縁板１３２との間をシールするシール構造を設ける。このシール構造は、シールビード１１５に対面する位置に沿って絶縁板１３２に溝１３３を設け、シールビード１１５に設けた弾性部材１１７に密接するシール部材１５１を溝１３３に収納し、シール部材１５１の下端両端面から溝１３３の両側壁に対面する側面突部１５３をシール部材１５１の長手方向に沿って突出させ、シール部材１５１の底面の両端側に寄せた少なくとも二個所から、シール部材１５１の長手方向に沿って底面突条１５４を突出させている。【選択図】図６
2019216009.tif 000002
【特許請求の範囲】
【請求項１】
発電セルを複数個積層した燃料電池スタックの両端に位置するエンドセルに含まれる金属セパレータのシールビードに膜状に設けられた弾性部材と、
前記両端に位置するエンドセルを挟み込むエンドプレートに設けられた絶縁板中、前記シールビードに対面する位置に沿って設けられた溝と、
前記溝にこの溝の長手方向と直交する方向に遊びをもって収納され、前記シールビードに設けられた弾性部材に密接するシール部材と、
前記シール部材の下端両端面からこのシール部材の長手方向に沿って突出し、前記溝の長手方向の両側壁にそれぞれ対面する側面突部と、
前記シール部材の底面の両端側に寄せた少なくとも二個所からそのシール部材の長手方向に沿って突出する底面突条と、
を備えることを特徴とする燃料電池のシール構造。
【請求項２】
前記側面突部は、前記溝の両側壁に対向する部分に断面湾曲形状を有している、
ことを特徴とする請求項１に記載の燃料電池のシール構造。
【請求項３】
前記底面突条は、前記シール部材の底面中央部からもこのシール部材の長手方向に沿って突出しており、
中央部から突出する前記底面突条の高さは、両端側に寄せた前記底面突条の高さより高い、
ことを特徴とする請求項１又は２に記載の燃料電池のシール構造。
【請求項４】
前記底面突条は、前記シール部材の底面中央部からもこのシール部材の長手方向に沿って突出しており、
前記エンドセルと前記絶縁板との間を通る媒体の流れの上流側から突出する前記底面突条の高さは、前記媒体の流れの下流側及び中央部から突出する前記底面突条の高さよりも低い、
ことを特徴とする請求項１又は２に記載の燃料電池のシール構造。
【請求項５】
前記シール部材の底面中央部には、このシール部材の長手方向に沿って底面窪みが設けられている、
ことを特徴とする請求項１又は２に記載の燃料電池のシール構造。
【発明の詳細な説明】
【技術分野】
【０００１】
本発明は、燃料電池に用いられるシール技術に係り、特に燃料電池スタックの両端に位置するエンドセルをシールする燃料電池のシール構造に関する。
【背景技術】
【０００２】
燃料電池の従来構造として、電解質膜の両面に一対の電極層を設けた膜電極接合体（ＭＥＡ）を備え、その厚み方向両側に一対の金属セパレータを積層して発電セルとし、この発電セルを複数個積層したスタック構造をなすものがある。この種の燃料電池は、膜電極接合体のカソード側に酸化ガス（空気）を供給し、アノード側に燃料ガス（水素）を供給することで、水の電気分解の逆反応である電気化学反応によって電力を発生する。
【０００３】
積層された発電セル内には、酸化ガス（空気）や燃料ガス（水素）、冷却水などの媒体のための流路が設けられている。個々の流路は、例えば金属セパレータによって形成されている。金属セパレータは、鉄やアルミニウムなどの金属材料からなる一対の板状の部材を接合させたもので、これらの一対の部材の間や別の部材との間に、媒体のための流路を形成する。個々の発電セルは、積層されて両端を一対のエンドプレートに挟み込まれ、燃料電池スタックとなる。
【０００４】
この種の燃料電池は、例えば特許文献１に記載されている。
【０００５】
図１２に示すように、燃料電池スタック１１は、膜電極接合体１２を一対の金属セパレータ１３で挟んで作成した発電セル１４を複数個積層し、一対のエンドプレート１５で挟み込んでいる。両端部に位置する発電セル１４はエンドセル１４ａとされ、エンドセル１４ａは、絶縁板１６を介してエンドプレート１５に挟み込まれている。
【０００６】
図１２は、膜電極接合体１２の一部をなす樹脂フィルム１７を一対の金属セパレータ１３に挟み込んでいる状態を示している。膜電極接合体１２の詳細は省略して示しているが、一対の金属セパレータ１３は、樹脂フィルム１７の両面に設けられた図示しない電極層も挟み込んでいる。ただし金属セパレータ１３は、樹脂フィルム１７や電極層などの膜電極接合体１２それ自体には直接接触せず、シールビード１８に膜状に設けた弾性部材１９を介して接合している。
【０００７】
弾性部材１９は、例えばゴム状弾性材料によってシールビード１８上に成形された膜状のものである。特許文献１は、樹脂材（５６ａ）として弾性部材１９を紹介している（文献１の段落［００３５］参照）。このような弾性部材１９は、例えば接着成分を含有するゴム材を用意し、これをシールビード１８に印刷することによって成形されている。
【０００８】
図１２に示すように、シールビード１８は、弾性部材１９を介して膜電極接合体１２を挟み込んでいる。これに対してエンドセル１４ａの両端部分では、図１２及び図１３に示すように、エンドプレート１５に設けられた絶縁板１６に接触している。絶縁板１６は一般的に樹脂製であり、金属セパレータ１３とは熱膨張率が異なる。このため図１４に示すように、温度環境の変化によって金属セパレータ１３と絶縁板１６との間に相対変位による位置ずれが生じ、これによって弾性部材１９には剪断力が作用して、シールビード１８から剥離してしまうことがある。
【０００９】
図１５に例示するように、特許文献１には、絶縁板１６に溝２０を設け、この溝２０に遊びをもってシール部材２１を収納するようにした発明が記載されている（文献１の段落［００４８］〜［００６２］参照）。シール部材２１は、弾性を有する高分子材料、例えばシリコンゴム、アクリルゴム、ニトリルゴムなどのゴム状弾性部材であり、溝２０に嵌合するのではなく、隙間Ｇによる遊びをもって収納され、溝２０の底面に接着又は融着されている（文献１の段落［００４９］参照）。このようなシール構造は、前述したシールビード１８から弾性部材１９が剥離するという問題に対して、解決策を与えるはずである。図１２に示すように、金属セパレータ１３と絶縁板１６との間に位置ずれが生じたとき、シール部材２１は隙間Ｇの範囲で自由に撓み、金属セパレータ１３と絶縁板１６との間の位置ずれを吸収するからである。
【先行技術文献】
【特許文献】
【００１０】
【特許文献１】特開２０１８−０２２５９５号公報
【発明の概要】
【発明が解決しようとする課題】
【００１１】
特許文献１に記載されているシール部材、例えば図１５に示すようなシール部材２１は、金属セパレータ１３と絶縁板１６との間に相対変位が発生したとき、大きく撓むことが求められる（図１６、文献１の図８参照）。このためシール部材を用いたシール構造は、温度環境の変化による金属セパレータと絶縁板との間の位置ずれを吸収することができる一方で、金属セパレータと絶縁板との間の面圧の低下を生じさせる。このとき両者間をシールするのに十分な面圧が発生すればよいのだが、シール部材は大きく自由に撓むため、必要な面圧を得られにくい。
【００１２】
その結果シール性能が低下するため、改善が求められる。
【００１３】
本発明の課題は、温度環境の変化による金属セパレータと絶縁板との間の位置ずれを吸収しながら、両者間の面圧を高め得るようにすることである。
【課題を解決するための手段】
【００１４】
本発明の燃料電池のシール構造は、発電セルを複数個積層した燃料電池スタックの両端に位置するエンドセルに含まれる金属セパレータのシールビードに膜状に設けられた弾性部材と、前記両端に位置するエンドセルを挟み込むエンドプレートに設けられた絶縁板中、前記シールビードに対面する位置に沿って設けられた溝と、前記溝にこの溝の長手方向と直交する方向に遊びをもって収納され、前記シールビードに設けられた弾性部材に密接するシール部材と、前記シール部材の下端両端面からこのシール部材の長手方向に沿って突出し、前記溝の長手方向の両側壁にそれぞれ対面する側面突部と、前記シール部材の底面の両端側に寄せた少なくとも二個所からそのシール部材の長手方向に沿って突出する底面突条と、を備えることによって上記課題を解決する。
【発明の効果】
【００１５】
本発明によれば、温度環境の変化による金属セパレータと絶縁板との間の位置ずれをシール部材によって吸収しながら、底面突条によって溝とシール部材と間の面圧を高め、シール効果を向上させることができる。
【図面の簡単な説明】
【００１６】
【図１】燃料電池スタックの概略構造を示す模式図。
【図２】燃料電池のシール構造の第１の実施の形態を示す垂直断面図。
【図３】流路を通る媒体から加圧力を受けたシール部材が変位した状態を例示する垂直断面図。
【図４】燃料電池のシール構造の第２の実施の形態を示す垂直断面図。
【図５】シール部材が傾いて組み立てられたシール構造を例示する垂直断面図。
【図６】燃料電池のシール構造の第３の実施の形態を示す垂直断面。
【図７】燃料電池のシール構造の第４の実施の形態を示す垂直断面。
【図８】実使用時の燃料電池のシール構造の状態を例示する垂直断面。
【図９】燃料電池のシール構造の第５の実施の形態を示す垂直断面。
【図１０】実使用時の燃料電池のシール構造の状態を例示する垂直断面。
【図１１】燃料電池のシール構造の第６の実施の形態を示す垂直断面図。
【図１２】従来の燃料電池スタックの概略構造を示す模式図。
【図１３】エンドセルの金属セパレータと絶縁板との接触状態を示す垂直断面図。
【図１４】図１３に示す金属セパレータと絶縁体との間に、熱膨張率の違いを原因とする相対変位による位置ずれが生じている状態を例示する垂直断面図。
【図１５】エンドセルの金属セパレータと絶縁板との間にシール部材を介在させた構成例を示す垂直断面図。
【図１６】図１５に示す金属セパレータと絶縁体との間に、熱膨張率の違いを原因とする相対変位による位置ずれが生じている状態を例示する垂直断面図。
【発明を実施するための形態】
【００１７】
実施の形態を図面に基づいて説明する。本実施の形態は、固体高分子形燃料電池に用いられるシール技術に係り、特に燃料電池スタック１０１のエンドセル１１１ａをシールするシール構造１０２に関する（図１参照）。
【００１８】
本実施の形態では、図１に示す一対のエンドセル１１１ａのうち、下方に位置するエンドセル１１１ａのシール構造１０２について説明している。説明の便宜上、上下左右と方向を特定しているが、この特定は図１に示す状態を基準としている。したがって上方に位置するエンドセル１１１ａの場合、本実施の形態とは上下左右が反転する。また図１に示す方向とは異なる向きに燃料電池スタック１０１を配置した場合、本実施の形態中で特定している上下左右の方向性は、全く異なるものとなる。もっともいかなる方向に燃料電池スタック１０１を位置づけたとしても、本実施の形態で特定する上下左右の方向を参酌すれば、各部の方向性を容易に理解することが可能である。
【００１９】
（第１の実施の形態）
第１の実施の形態を図１及び図２に基づいて説明する。
【００２０】
図１に示すように、燃料電池スタック１０１は、発電セル１１１を複数個積層し、その両端を一対のエンドプレート１３１によって挟み込み、締着した構造を有している。
【００２１】
発電セル１１１は、水素と酸素とから電気エネルギーを取り出す構造物である。ＭＥＡ（Membrane Electrode Assembly）と呼ばれる膜電極接合体１１２を備え、その厚み方向両側に一対の金属セパレータ１１３を備えている。
【００２２】
膜電極接合体１１２は、固体高分子から構成された例えば樹脂フィルム１１４からなる電解質膜の両面に、カソード側及びアノード側となる一対の電極層（図示せず）を設けている。金属セパレータ１１３は、鉄やアルミニウムなどの金属材料からなるプレートであり、複数個のシールビード１１５を規則的に配列している。一つの発電セル１１１に対して、金属セパレータ１１３は一対用意されている。一対の金属セパレータ１１３は膜電極接合体１１２を挟み込み、膜電極接合体１１２の両側に複数個の流路１１６を形成する。流路１１６は、シールビード１１５によって形成される。
【００２３】
発電セル１１１は、膜電極接合体１１２のカソード側に酸化ガス（空気）を供給し、アノード側に燃料ガス（水素）を供給することで、水の電気分解の逆反応である電気化学反応によって電力を発生する。このとき流路１１６は、酸化ガス（空気）及び燃料ガス（水素）のみならず、冷却水を流通させる流路としても用いられる。
【００２４】
燃料電池スタック１０１において、両端に位置する発電セル１１１はエンドセル１１１ａと呼ばれる。エンドセル１１１ａはエンドプレート１３１に対面している。ただしエンドセル１１１ａとエンドプレート１３１とは直接対面しているわけではなく、両者間には絶縁板１３２が介在している。絶縁板１３２は樹脂などの絶縁材料、例えばポリカーボネートやフェノール樹脂などによって形成されている。
【００２５】
前述したように、金属セパレータ１１３は複数個のシールビード１１５を規則的に配列している。積層された複数個の発電セル１１１の両側に配置した一対のエンドプレート１３１を締着したとき、シールビード１１５は弾性変形し、挟み込んでいる膜電極接合体１１２との間のシールを実現する。
【００２６】
シールビード１１５は、他の部材との間の密接面に位置させて、弾性部材１１７を接着固定している。弾性部材１１７は、例えば接着成分を含有するゴム材を用意し、これをシールビード１１５に印刷することによって成形されている。したがってシールビード１１５は、膜電極接合体１１２に直接接触するのではなく、弾性部材１１７を介して膜電極接合体１１２に接触している。
【００２７】
もっとも弾性部材１１７を介して膜電極接合体１１２に接触するのは、エンドセル１１１ａの両端部分以外の領域に設けられたシールビード１１５である。エンドセル１１１ａの両端部分のシールビード１１５は、エンドプレート１３１に設けられた絶縁板１３２に対面し、膜電極接合体１１２には対面しない。
【００２８】
エンドセル１１１ａの両端部分のシールビード１１５と絶縁板１３２との間には、シール部材１５１が介在している。シール部材１５１は、断面矩形形状のゴム状弾性部材である。絶縁板１３２には、シールビード１１５に対面する位置に沿って溝１３３が設けられている。シール部材１５１はこの溝１３３に収納され、シールビード１１５に密接する。このときシール部材１５１が密接するのは、シールビード１１５に設けられた弾性部材１１７である。
【００２９】
図２に示すように、溝１３３はシール部材１５１よりも幅が広くなっており、溝１３３とシール部材１５１との間には隙間Ｇが発生している。燃料電池スタック１０１の組立に際しては、シール部材１５１の両側に同じ幅で隙間Ｇが発生するように、各部が組み付けられる。したがってシール部材１５１は、溝１３３の長手方向（図２中の奥行き方向）と直交する方向に隙間Ｇによる遊びをもって溝１３３に収納されている。
【００３０】
シール部材１５１は、その底面に底面突条１５２を一体に成形している。底面突条１５２は、シール部材１５１の底面中央部に位置づけられ、シール部材１５１の長手方向（図２中の奥行き方向）に沿って延びている。
【００３１】
このような構成において、エンドセル１１１ａの両端部分に位置する金属セパレータ１１３と絶縁板１３２との間は、撓んだシールビード１１５の弾性復元力によってシールされる。このときシールビード１１５は、弾性部材１１７とシール部材１５１とを介して絶縁板１３２の溝１３３の底面に密接する。
【００３２】
金属製の金属セパレータ１１３と樹脂製の絶縁板１３２とでは熱膨張率が異なるため、温度環境の変化に伴い、両者の間には相対変位による位置ずれが発生する（図８参照）。金属セパレータ１１３と絶縁板１３２との間に位置ずれが発生したとき、シール部材１５１は隙間Ｇの範囲内で自由に撓み、その位置ずれを吸収する。これによって弾性部材１１７には剪断力が作用せず、シールビード１１５からの弾性部材１１７の剥離を防止することができる。
【００３３】
シール部材１５１は、シールビード１１５に押圧されて絶縁板１３２の溝１３３の底面に密接する。このときシールビード１１５による押圧力が相対的に強ければ、底面突条１５２は潰れてシール部材１５１の底面全面が溝１３３の底面に密接する。これに対してシールビード１１５による押圧力が相対的に弱ければ、底面突条１５２は大きく潰れず、シール部材１５１の底面は、全面的には溝１３３の底面に密接しない。
【００３４】
いずれの場合であっても、溝１３３の底面に対する底面突条１５２の接触面積は、シール部材１５１の底面の面積に対してはるかに小さい。このため底面突条１５２が設けられていない構成例（例えば図１１、図１２参照）と比べると、シールビード１１５からの押圧力が同一である場合の面圧が格段に高まり、密接力が向上する。とりわけシールビード１１５による押圧力が相対的に弱く、底面突条１５２が完全に潰れ切らないような場合、底面突条１５２が設けられていない構成例と比較して、溝１３３の底面に対する面圧が著しく高まり、シール性が向上する。
【００３５】
底面突条１５２は、シールビード１１５からの押圧力を最も強く受けるシール部材１５１の底面中央部に配置されている。このため溝１３３の底面に対するシール部材１５１の面圧を効率よく上昇させることができる。
【００３６】
もっとも実施に際しては、底面突条１５２は必ずしもシール部材１５１の底面中央部に位置づけられていなければならないわけではなく、中央部からオフセットした位置に配置されていてもよい。
【００３７】
（第２の実施の形態）
第２の実施の形態を図３及び図４に基づいて説明する。第１の実施の形態と同一部分は同一符号で示し、説明も省略する。
【００３８】
図３に示すように、燃料電池スタック１０１は、エンドセル１１１ａの両端部分に位置する金属セパレータ１１３とエンドプレート１３１に設けられた絶縁板１３２との間にも、流路１１６を形成する。このためシール部材１５１は、流路１１６を通る媒体の流れによって加圧力を受ける。例えば流路１１６を通る媒体が図３中の白抜き矢印で示す方向に流れるとすると、図中、シール部材１５１は右側からの加圧力を受ける。
【００３９】
このときシール部材１５１は、例えば特許文献１に記載されているような構造とは異なり、溝１３３の底面にシール部材１５１を固定していない。底面突条１５２を設けているために、接着によるか溶着によるかを問わず、溝１３３の底面にシール部材１５１を固定することができないからである。このため流路１１６を通る媒体の流れによる加圧力を受けたシール部材１５１は、流れの下流側方向に向けて位置ずれを生ずることがある。
【００４０】
シール部材１５１に位置ずれが生ずると、シール部材１５１が自由に撓むことができなくなり、弾性部材１１７に剪断力を作用させないというシール部材１５１の機能が損なわれてしまう。例えば図３に示す一例では、溝１３３内の側壁のうち左側に位置する側壁に寄った位置にシール部材１５１は偏移しているので、左側への自由な撓みが規制されてしまう。
【００４１】
そこで本実施の形態では、シール部材１５１に側面突部１５３を一体に成形している。側面突部１５３は、シール部材１５１の両端面から長手方向に沿って連続的に突出する構造体で、シール部材１５１と一体に成形されている。
【００４２】
一対の側面突部１５３の配置位置は、シール部材１５１の下端両端面である。
【００４３】
一対の側面突部１５３の形状は、断面湾曲形状であり、下面側隅部の方が上面側隅部よりも大きな曲率半径を持つように形成されている。
【００４４】
このような配置位置及び形状を与えられたシール部材１５１は、鍔が水平方向に延びるハットのような断面形状を有している。
【００４５】
左右一対の側面突部１５３の端部１５３ａ同士を結んだ距離は、例えば溝１３３の両側壁間の離隔距離とほぼ同じか、あるいは僅かに短い長さを有している。
【００４６】
このような構成において、側面突部１５３はその端部１５３ａを溝１３３の側壁に突き当てるので、流路１１６を通る媒体の流れによる加圧力を受けたとしても、これに応じてシール部材１５１が溝１３３内を移動してしまうことがない。これにより溝１３３内でのシール部材１５１の偏在を防止することができる。
【００４７】
側面突部１５３は、シール部材１５１に連続的に成形されている。このため流路１１６を通る媒体の流れによって加圧力を受けたシール部材１５１の変形が抑制され、溝１３３からのシール部材１５１の脱落を防止することができる。
【００４８】
ただし側面突部１５３を設けていない第１の実施の形態の構成例と比較して、シール部材１５１の部分では撓み量が減少する。
【００４９】
これに対して本実施の形態の側面突部１５３は、シール部材１５１の下端両端面に配置されており、側面突部１５３よりも上方の領域が占める比率が多くなっているので、シール部材１５１自体にも撓みを生じさせることができる。シール部材１５１の撓みやすさを決定づけるのは側面突部１５３よりも上方の領域だからである。したがってある程度の撓みやすさをシール部材１５１に与えることができる。
【００５０】
燃料電池スタック１０１の組み立てに際しては、溝１３３に対してシール部材１５１を押し込む作業が必要になる。このとき側面突部１５３は、溝１３３の両側壁に対向する部分が断面湾曲形状に形成されているので、溝１３３にシール部材１５１を押し込む作業の作業性が良好になる。
【００５１】
左右一対の側面突部１５３の端部１５３ａ同士を結んだ距離は、溝１３３の両側壁間の離隔距離とほぼ同じか、あるいは僅かに短い長さを有している。このため左右一対の側面突部１５３の端部１５３ａと溝１３３の両側壁との間の摩擦抵抗によってシール部材１５１は溝１３３に保持され、溝１３３が下側になるようにエンドプレート１３１及び絶縁板１３２をひっくり返したとしても、シール部材１５１の脱落を防止することができる。このようなシール部材１５１の保持は、燃料電池スタック１０１の製造に際して、作業性を良好にする。
【００５２】
もっとも実施に際しては、左右一対の側面突部１５３の端部１５３ａ同士を結んだ距離は、溝１３３の両側壁間の離隔距離よりも長く設定されていてもよい。この場合には、溝１３３に対するシール部材１５１の装着作業性は一歩後退することになる反面、溝１３３に対するシール部材１５１の保持性が高まる。
【００５３】
また側面突部１５３は、シール部材１５１の両端面から長手方向に沿って連続的に突出する構造体である構成例を例示したが、連続的であることは必ずしも必須ではない。実施に際して側面突部１５３は、シール部材１５１の両端面から長手方向に沿って断続的に突出成形されていてもよい。
【００５４】
（第３の実施の形態）
第３の実施の形態を図５及び図６に基づいて説明する。第１及び第２の実施の形態と同一部分は同一符号で示し、説明も省略する。
【００５５】
第２の実施の形態のシール構造１０２は、シール部材１５１に側面突部１５３を設けたことにより、燃料電池スタック１０１の組み立てに際して、溝１３３に対してシール部材１５１を押し込む作業が必要になる。このときシール部材１５１はその底面に底面突条１５２を突出させているため、図５に示すように、傾いた状態で溝１３３内に収納されてしまうことがある。この場合には底面突条１５２の領域以外のシール部材１５１の底面領域が溝１３３の底面に当たってしまい、シール部材１５１と溝１３３の底面との間の面圧の低下を招く。その結果金属セパレータ１１３のシールビード１１５と絶縁板１３２との間のシール性を低下させてしまう。
【００５６】
そこで図６に示すように、本実施の形態のシール構造１０２は、底面突条１５２とは別に、シール部材１５１の底面の両端側に寄せた二個所からシール部材１５１の長手方向に沿って突出する底面突条１５４を設けている。これらの底面突条１５４は、底面突条１５２と同様に、シール部材１５１の長手方向の全面に設けられている。したがって底面突条１５４は、シール部材１５１の全長にわたって平行な二条の形態で設けられている。
【００５７】
このような構成において、燃料電池スタック１０１の組み立て時、溝１３３に対してシール部材１５１を押し込むに際して、シール部材１５１の底面には、その両端側に寄せた二個所から二条の底面突条１５４が突出しているので、シール部材１５１の倒れ込みを防止することができる。これによってシール部材１５１の底面突条１５２，１５４以外の底面が溝１３３の底面に当たらないようにすることができ、金属セパレータ１１３のシールビード１１５と絶縁板１３２との間の面圧を維持することができる。
【００５８】
（第４の実施の形態）
第４の実施の形態を図７及び図８に基づいて説明する。第１ないし第３の実施の形態と同一部分は同一符号で示し、説明も省略する。
【００５９】
図７に示すように、本実施の形態は第３の実施の形態と基本的に共通しており、シール部材１５１の下面に、底面突条１５２に加えて二条の底面突条１５４を設けている。第３の実施の形態と相違する点は、中央部から突出する底面突条１５２の高さは、両端側に寄せた底面突条１５４の高さより高いということである。
【００６０】
このような構成において、シール部材１５１と溝１３３の底面との間の面圧は、中央部に位置する底面突条１５２によって担われる。この底面突条１５２の方が両端側に位置する底面突条１５４の高さよりも高いからである。このような面圧分布は、燃料電池スタック１０１の実使用時においても変わらない。
【００６１】
図８は、エンドセル１１１ａと絶縁板１３２との間の流路１１６を通る媒体が、白抜き矢印の方向に流れているときの状態を示している。このときシール部材１５１は、媒体の流れによる加圧力を図８中の右側から受ける。これによってシール部材１５１は右肩上がりの状態に傾くが、左側に位置する底面突条１５４が溝１３３の底面に突き当たるため、それ以降はシール部材１５１が傾く動きが規制される。このときシール部材１５１は、溝１３３の底面との間に隙間を開けた状態を維持し、シールビード１１５からの押圧力を専ら中央部に位置する一条の底面突条１５２で受けることになる。その結果シール部材１５１と溝１３３の底面との間の面圧は、中央に位置する底面突条１５２によって担われる。
【００６２】
したがってシール部材１５１と溝１３３の底面との間に十分な面圧を作用させることができ、二条の底面突条１５４を設けたとしても、金属セパレータ１１３のシールビード１１５と絶縁板１３２との間のシール性を維持することができる。
【００６３】
（第５の実施の形態）
第５の実施の形態を図９及び図１０に基づいて説明する。第１ないし第４の実施の形態と同一部分は同一符号で示し、説明も省略する。
【００６４】
図９に示すように、本実施の形態は第３の実施の形態と基本的に共通しており、シール部材１５１の下面に、底面突条１５２に加えて二条の底面突条１５４を設けている。第３の実施の形態と相違する点は、エンドセル１１１ａと絶縁板１３２との間を通る媒体の流れの上流側から突出する底面突条１５４の高さは、媒体の流れの下流側及び中央部から突出する底面突条１５４，１５２の高さよりも低いということである。図９中、中央部から突出する底面突条１５２の右側に位置するのが媒体の流れの上流側から突出する底面突条１５４である。
【００６５】
このような構成において、シール部材１５１と溝１３３の底面との間の面圧は、中央部に位置する底面突条１５２によって担われる。この底面突条１５２の方が両端側に位置する底面突条１５４の高さよりも高いからである。このような面圧分布は、燃料電池スタック１０１の実使用時においても変わらない。
【００６６】
図１０は、エンドセル１１１ａと絶縁板１３２との間の流路１１６を通る媒体が、白抜き矢印の方向に流れているときの状態を示している。このときシール部材１５１は、媒体の流れによる加圧力を図１０中の右側から受ける。これによってシール部材１５１は右肩上がりの状態に傾くが、左側に位置する底面突条１５４が溝１３３の底面に突き当たって撓むため、それ以降はシール部材１５１が傾く動きが規制される。
【００６７】
このときシール部材１５１は、溝１３３の底面との間に隙間を開けた状態を維持し、シールビード１１５からの押圧力を、左側に位置する底面突条１５４と中央部に位置する底面突条１５２とで受けることになる。もっとも媒体の流れによる加圧力を受けたシール部材１５１は、中央部に位置する底面突条１５２を中心として傾くために、左側に位置する底面突条１５４により多くの荷重がかかる。その結果シール部材１５１と溝１３３の底面との間の面圧は、主に左側に位置する底面突条１５４によって担われる。
【００６８】
したがってシール部材１５１と溝１３３の底面との間に十分な面圧を作用させることができ、二条の底面突条１５４を設けたとしても、金属セパレータ１１３のシールビード１１５と絶縁板１３２との間のシール性を維持することができる。
【００６９】
（第６の実施の形態）
第６の実施の形態を図１１に基づいて説明する。第１ないし第５の実施の形態と同一部分は同一符号で示し、説明も省略する。
【００７０】
図１１に示すように、本実施の形態は第３の実施の形態と基本的に共通しており、シール部材１５１の下面に、二条の底面突条１５４を設けている。第３の実施の形態と相違する点は、中央部の底面突条１５２が設けられておらず、その位置、つまり底面中央部に底面窪み１５５が設けられていることである。底面窪み１５５は、シール部材１５１の長手方向に沿い、その全長にわたり設けられた断面半円形形状の窪みである。
【００７１】
このような構成において、本実施の形態のシール構造１０２によれば、シール部材１５１の底面両端側に設けられた二条の底面突条１５４が溝１３３の底面に密接し、これらの底面突条１５４によって金属セパレータ１１３のシールビード１１５と絶縁板１３２との間のシール性が確保される。このとき底面窪み１５５は、シール部材１５１に肉抜き効果をもたらし、その剛性を低下させる。これによって溝１３３の底面に対するシール部材１５１の面圧が低下し、シール部材１５１の内部に生ずる応力が低減される。
【００７２】
第１〜第５の実施の形態の底面突条１５２及び第３の実施の形態の底面突条１５４は、溝１３３の底面に対するシール部材１５１の接触状態を面接触から線接触にしている。これによってシール部材１５１と溝１３３の底面との間の面圧を高め、金属セパレータ１１３のシールビード１１５と絶縁板１３２との間のシール性を維持しているわけである。
【００７３】
その一方で、底面突条１５２が位置するシール部材１５１の中央部分では、内部応力が高まってシール材としての充填率が増加する。このためともすれば充填率が高まりすぎて、例えばひび割れなどの破損がシール部材１５１に発生してしまう可能性がある。
【００７４】
底面窪み１５５は、シール部材１５１の充填率を下げる。これによってひび割れなどの破損からシール部材１５１を保護することができる。
【００７５】
（変形例）
実施に際しては、各種の変形や変更が可能である。上記実施の形態は、絶縁板１３２の溝１３３及びシール部材１５１はもとよりのこと、金属セパレータ１１３やシールビード１１５などについても、形状、寸法比率、材質などの様々な要素について一つの例を挙げているにすぎない。実施に際しては、個々の要素の属性が保たれる限り、あらゆる変更や変形が可能である。
【符号の説明】
【００７６】
１０１    燃料電池スタック
１０２    シール構造
１１１    発電セル
１１１ａ  エンドセル
１１２    膜電極接合体
１１３    金属セパレータ
１１４    樹脂フィルム
１１５    シールビード
１１６    流路
１１７    弾性部材
１３１    エンドプレート
１３２    絶縁板
１３３    溝
１５１    シール部材
１５２    底面突条
１５３    側面突部
１５３ａ  端部
１５４    底面突条
１５５    底面窪み
Ｇ    隙間
【図１】
2019216009.tif 000003
【図２】
2019216009.tif 000004
【図３】
2019216009.tif 000005
【図４】
2019216009.tif 000006
【図５】
2019216009.tif 000007
【図６】
2019216009.tif 000008
【図７】
2019216009.tif 000009
【図８】
2019216009.tif 000010
【図９】
2019216009.tif 000011
【図１０】
2019216009.tif 000012
【図１１】
2019216009.tif 000013
【図１２】
2019216009.tif 000014
【図１３】
2019216009.tif 000015
【図１４】
2019216009.tif 000016
【図１５】
2019216009.tif 000017
【図１６】
2019216009.tif 000018